(57)【要約】【課題】  従来の面防具に化体した剣道等の伝統文化性を継承しつつ、安全性を高め、且つ、着用者の違和感及び不安感を解消した剣道用面防具を提供する。【解決手段】  略顔面輪郭形状に形成された台座、この台座の中央上部から下部にかけて架設された筋金、及び上記台座の左右方向に互いに所定の間隔を置いて架設された複数の横金を有し、装着時に顔面を保護する面金と、この面金に取り付けられ、装着時に頭頂部及び頭側部を覆って保護する面布団と、上記面金の下部に取り付けられ、首部を保護する突き当てと、上記面金において着用者の眼前部分における横金の一部、又は筋金及び横金の一部を切り欠いて形成された開口部に取り付けられ、装着時に眼周辺部を保護する透明防護体とを備えた剣道用面防具において、上記透明防護体には、切り欠いた横金の一部、又は筋金及び横金の一部を略々模した面金模様が設けられていることを特徴とするものである。【選択図】          図１
2005080961.tif 000002
【特許請求の範囲】
【請求項１】
略顔面輪郭形状に形成された台座、この台座の中央上部から下部にかけて架設された筋金、及び上記台座の左右方向に互いに所定の間隔を置いて架設された複数の横金を有し、装着時に顔面前面に位置して顔面を保護する面金と、この面金に取り付けられ、装着時に頭頂部及び頭側部を覆って保護する面布団と、上記面金の下部に取り付けられ、装着時に首部を保護する突き当てと、上記面金において着用者の視線が通過する眼前部分における横金の一部、又は筋金及び横金の一部を切り欠いて形成された開口部と、この開口部を覆うように取り付けられ、装着時に眼周辺部を保護する透明防護体とを備えた剣道用面防具において、
上記透明防護体には、横金の一部、又は筋金及び横金の一部を略々模した面金模様が設けられていることを特徴とする剣道用面防具。
【請求項２】
透明防護体が、２枚以上の透明体を重ね合わせた積層構造を有し、また、面金模様が、上記透明防護体のいずれかの透明体の層間に位置している請求項１に記載の剣道用面防具。
【請求項３】
面金模様が、印刷により施されている請求項１又は２に記載の剣道用面防具。
【請求項４】
面金模様が、薄板材により形成されている請求項１又は２に記載の剣道用面防具。
【請求項５】
薄板材が、複数の薄板の積層体である請求項４に記載の剣道用面防具。
【請求項６】
積層体が、互いに熱収縮率の異なる複数の薄板を、各薄板が装着時に着用者の顔面側から外側に向けて順次熱収縮率が小さくなるように、積層して形成されている請求項５に記載の剣道用面防具。
【発明の詳細な説明】
【技術分野】
【０００１】
本発明は、剣道において竹刀、長刀等から頭部、顔面、首等を保護するために使用される剣道用面防具に関する。
【背景技術】
【０００２】
【特許文献１】特開平９−１０３５３１
【特許文献２】特開平９−１０８３９５
【特許文献３】特開平１１−１２８４３４
【特許文献４】特開２０００−２８８１５０
【０００３】
古来、剣道等に用いられる面防具は、図１０に示すように、装着時に顔面前面側に位置して顔面を保護する面金１００と、この面金１００に取り付けられ、装着時に頭頂部及び頭側部等を覆って保護する面布団１０１と、上記面金１００の下部に取り付けられ、装着時に首部（喉）を保護する突き当て１０２等から構成されており、剣道等の試合を行う競技者や稽古を行う者等(以下「着用者」という)がその頭部を保護するために着用するものである。
【０００４】
このような剣道用面防具において、顔面を保護する面金１００は、顔面の輪郭に略等しい大きさの枠形状に形成された金属製の台座１０３と、この台座１０３の中央上部から下部にかけて架設された筋金１０４と、上記台座１０３の左右方向に架設され、互いに所定の間隔をおいて配設された１３〜１５本程度の横金１０５とで構成され、着用者の顔面を前面側から保護するものである。このように複数の横金と筋金とを組み合わせることで顔面を保護する場合には、着用者の視野や通気性を確保するために隣り合う横金同士の間隔を１０ｍｍ以上に形成する必要がある。しかし、この場合には、その隙間から壊れかかった竹刀の先端や竹刀の裂片、折片等が入り込んで顔面を傷つけてしまう可能性があり、その安全性において万全のものとは言えなくなり、特に、竹で作られた竹刀では、打突によって裂けたり折れたりするので、上記問題が生じる危険性がある。
【０００５】
この問題を解決するため、特開平９−１０３５３１号公報、特開平９−１０８３９５号公報、特開平１１−１２８４３４号公報、及び特開２０００−２８８１５０に示される発明がなされ、その安全性を高く評価した財団法人全日本剣道連盟の公認を受けて既に発売されている。これら発明にて開示される剣道用面防具は、図１１に示すように、従来の面金１０と面布団１６と突き当て１７とから構成される剣道用面防具の面金１０において、着用者の視線が通過する眼前部分における数本の横金１２を切り欠いて形成された開口部１４に、透明防護体２０が取り付けられている。この透明防護体２０により、着用者の視界を狭めることなく、竹刀の先端や竹刀の裂片、折片等が入り顔面を傷付けてしまうことを防止することができるので、高い安全性を確保することができる。また、面金１０に筋金と複数の横金とを残し透明防護体２０が取り付けられているため、通気性は損なわれず、透明防護体２０が曇り難くなる。更に、掛け声(気合い)がマスク内で響くことなく良く通り、従来の剣道用面防具との違和感を少なくすることが可能となる。
【０００６】
しかし、この透明防護体２０は、従来視線に入っていた横金が取り除かれているため、視界が十分確保される一方、透明であるが故の「顔が見える」という特徴が、逆に着用者に大きな違和感を持たせ、更に、「表情を相手に読まれて不利になる」、「顔を見られるのが嫌だ」、「恥ずかしい」などの拒否反応の原因となって、その普及の妨げとなり、また、従来着用者の視線に入っていた横金が取り除かれているために、顔面が保護されていないのではないかとの不安感を抱かせるといった問題もある。
【発明の開示】
【発明が解決しようとする課題】
【０００７】
本発明はこのような問題点に鑑みなされたものであり、その目的とするところは、本発明を剣道等の面防具とした場合に従来の面防具に化体した剣道等の伝統文化性を継承しつつ、安全性を高め、且つ、着用者の違和感及び不安感を解消した剣道用面防具を提供することにある。
【課題を解決するための手段】
【０００８】
前記目的を達成するために、本発明の剣道用面防具は、略顔面輪郭形状に形成された台座、この台座の中央上部から下部にかけて架設された筋金、及び上記台座の左右方向に互いに所定の間隔を置いて架設された複数の横金を有し、装着時に顔面前面に位置して顔面を保護する面金と、この面金に取り付けられ、装着時に頭頂部及び頭側部を覆って保護する面布団と、上記面金の下部に取り付けられ、装着時に首部を保護する突き当てと、上記面金において着用者の視線が通過する眼前部分における横金の一部、又は筋金及び横金の一部を切り欠いて形成された開口部に取り付けられ、装着時に眼周辺部を保護する透明防護体とを備えた剣道用面防具において、上記透明防護体には、切り欠いた横金の一部、又は筋金及び横金の一部を略々模した面金模様が設けられていることを特徴とするものである。
【０００９】
本発明において、透明防護体が取り付けられる開口部は、上述の通り、面金において着用者の視線が通過する眼前部分に形成すればよい。しかし、竹刀による面打ちや突きを受けた際に、前記面金の上部や下部には瞬時的に強い力が作用するので、好ましくは、少なくとも当該上部や下部に前記筋金や横金が残るように形成するのがよい。
【００１０】
前記透明防護体は、少なくとも前記開口部を塞ぐように配設されていればよく、該開口部のみを塞ぐように配設されていても、該開口部とその周辺とを塞ぐように配設されていてもよい。また、前記透明防護体は、剣道用面防具に対して着脱可能に取り付けることが好ましく、その方法として、例えば、ベルベットファスナ等の結合手段を用いることができる。これにより、該透明防護体が破損したり、その表面が傷付いた場合、かかる透明防護体を交換することが可能となる。
【００１１】
前記透明防護体が、１枚の透明体で構成されている場合、高硬度と耐衝撃性の両方の性質が要求される。好ましくは、硬度及び耐衝撃性の両性質を併せ持つ素材で形成することが望ましく、そのロックウェル硬さ(ＡＳＴＭ  Ｄ７８５試験法、Ｍ又はＲスケール)は６０以上のもの、アイゾット衝撃強さ(ＡＳＴＭ  Ｄ２５６試験法)は５０ｋｇ・ｃｍ/ｃｍ以上、より好ましくは８０ｋｇ・ｃｍ/ｃｍ以上のものであるのがよい。
【００１２】
また、前記透明防護体を２枚以上の透明体で形成する場合には、各透明体がそれぞれ所望の硬度及び耐衝撃性を有するものであってもよいが、例えば、高硬度透明体と、耐衝撃性透明体との組み合わせで構成し、これらを互いに重ね合わせて積層構造とするのがよい。そして、前記高硬度透明体のロックウェル硬さや、耐衝撃性透明体のアイゾット衝撃強さについては上記の値を満たすものであることが好ましい。前記透明防護体として必要な硬度及び耐衝撃性を有するのであれば、前記積層構造を構成する該透明体の枚数及び素材の組み合わせは、適宜決定することができる。また、前記積層構造は、最も着用者の顔面に近い内側層に、該積層構造を構成する前記透明体の中で最も耐衝撃性に強いものを配置することが望ましい。このような積層構造にすることにより、前記透明防護体へ大きな衝撃が集中した際、かかる透明防護体が一気に破壊されるのを防止し、顔面を保護することができる。そして、上記２枚以上の透明体が形成する積層構造については、該透明体の層間に比較的軟質で透明な接着フィルムを１枚介在させ、加熱圧着させることにより、互いに貼り合わされていてもよく、また、何らかの手段で互いに積層状態に維持されていれば、必ずしも互いに固着されている必要はない。
【００１３】
更に、前記透明防護体を形成する高硬度透明体の材質については、ポリカーボネート樹脂、アクリル樹脂、ナイロン樹脂、ポリエステル樹脂、硬質塩化ビニル樹脂、透明ＡＢＳ樹脂、ポリメチルペンテン樹脂、ポリビニルアルコール樹脂等の透明樹脂や、硬質ガラス等のガラス等を適用することが好ましい。また、耐衝撃性透明体の材質については、ナイロンエラストマー、ポリウレタンエラストマー、ナイロン樹脂、アイオノマー樹脂、軟質塩化ビニル樹脂、Ｅ．Ｖ．Ａ．樹脂、シンジオタクチック１、２−ポリブタジエン樹脂等をはじめとして、オレフィン系、スチレン系、ポリエステル系等の各種のエラストマー樹脂等の柔軟性に優れたものを適用するのがよい。そして、必要に応じ、該透明防護体の表面に耐溶剤性透明体や耐擦傷性透明体等を積層したり、防眩処理を施すとよい。
【００１４】
本発明においては、前記透明防護体に、面金の開口部を形成するために切り欠いた横金の一部、又は筋金及び横金の一部を模した面金模様を設けるが、必ずしも面金開口部の切り欠きに対応する横金及び／又は筋金とするばかりでなく、例えば、横金の一部のみを切り欠いた面金に対応して、筋金及び横金の一部を模した面金模様としてもよく、また、これらの形状、幅、間隔等も任意に設定できる。そして、透明防護体が１枚の透明体で形成されている場合、この面金模様は、前記透明防護体を形成する透明体の任意の表面に、シルクスクリーン印刷、塗装、或いはアルミ蒸着などの任意の手段で形成することができる。
【００１５】
前記面金模様が設けられている面については、竹刀が該面金模様に直接触れることを防止するため、着用者が面防具を顔面に装着した状態で該透明防護体の顔面側、つまり内側面に設けることが好ましい。
【００１６】
前記面金模様の印刷は、エポキシ系、ウレタン系、アクリル系等の一般的なインクを用いればよい。また、この印刷は透明性があってもよいが、面金模様を設ける目的は、切り欠いた横金の一部、又は切り欠いた筋金及び横金の一部を模すことであるので、不透明であることが好ましい。そして、面金模様の横金については、切り欠いていない横金の幅と間隔に概略合わせ、また、筋金については、切り欠いていない筋金の位置に合わせて印刷するのがよい。更に、印刷の色調は任意であるが、横金、筋金を模す意味では金属色が好ましく、アルミ、ステンレス、チタン合金に似た色がより望ましい。
【００１７】
従来、剣道用面防具の面金は、装着した際の顔面側、即ち裏面は赤色に塗装されているのが通常であるので、前記面金模様は、裏面側を赤色系の印刷を施すことが好ましい。即ち、表面側にアルミ、ステンレス、チタン合金に似せた色の印刷を施し、その裏面に赤色系の印刷を重ねて施してもよく、また、裏面側の色を任意に赤色系以外の色調に設定することも可能である。
【００１８】
前記面金模様をシルクスクリーン印刷、塗装、或いはアルミ蒸着等の手段により設ける場合においても、表面側にアルミ、ステンレス、チタン合金に似せた色の印刷を施し、その裏面に赤色系の印刷を重ねて施すのがよい。そして、裏面側の色を任意に赤色系以外の色調に設定することもできる。
【００１９】
次に、前記透明防護体が２層以上の透明体で積層構造に形成されている場合には、１層体と同様に、印刷、シルクスクリーン印刷、塗装、或いはアルミ蒸着等の任意の手段を選択し、前記面金模様を設定することができる。該面金模様の色は、１層体の場合と同じく、金属に似せた色がよく、該透明防護体の表面側に、竹刀が直接触れることのない任意の面へ施すことが好ましい。そして、裏面側の色は、赤色系、又はそれ以外の色調を任意に設定することができる。この裏面側の色を施す面は、前記面金模様の印刷の裏面に重ねるか、前記印刷を施した透明体の面とは異なる透明体の面を任意に選び施すことが可能である。また、前記面金模様の形状に合わせ、前記裏面側の色を施すのがよい。
【００２０】
本発明において、互いに積層された２枚以上の透明体から成る透明防護体に面金模様を設ける場合には、任意の素材の薄板材から、切り欠かれた横金、又は筋金及び横金の形状に対応する形状の面金模様を型抜きし、或いは、切り抜き、この面金模様薄板を積層された２枚以上の透明体の何れかの層間に挟み込み、適当な手段で固定することにより設けることもできる。
【００２１】
薄板材の素材としては、アルミ、銅、真鍮、ステンレスなどの金属箔薄板、ポリエチレンテレフタレート(以下ＰＥＴ)、ポリエチレン、ＥＶＡ，ポリプロピレン、ポリスチレン、ＡＢＳ、ポリカーボネート、アクリル、ポリエステル、ナイロン、塩化ビニル、ポリメチルペンテンサン、ポリビニルアルコール、セルロース等の熱可塑性樹脂の薄板、メラミン、エポキシ、熱硬化性ポリエステル等の熱硬化性樹脂の薄板、及び同樹脂含浸硬化板、或いは薄紙等々が使用できる。
【００２２】
薄板材は透明性があってもよいが、面金模様を透明防護体に設ける目的は、切り欠いた横金の一部、又は切り欠いた筋金及び横金の一部を模すことであるので、不透明であることが好ましく、表面側は金属色であることが望ましい。この金属色は、素材自体の着色でもよいが、塗装、印刷、或いはアルミ蒸着などの手段で色付けしてもよい。また、該面金模様形状の薄板材の顔面側、即ち裏面側には赤色系の塗装、印刷を施すことが好ましい。
【００２３】
薄板の厚さは、基本的には任意であるが、薄過ぎると型抜き、或いは切り抜きの作業性に難があり、また、厚過ぎると透明防護体全体の厚さが厚くなり過ぎ、透視性に歪みなどの問題を生ずる。そのため、薄板の厚さは、２０μｍから１０００μｍの範囲が好ましく、１００〜２００μｍ程度の厚さが望ましい。
【００２４】
前記薄板材は、薄板の積層体とすることができる。積層する手段は、接着、粘着、或いは溶着等の通常手段でよく、また、積層する素材は、同質素材同士、又は異質素材同士でもよく、更に、積層枚数も必要に応じ任意に設定することができる。特に、薄板が薄過ぎて、面金模様を形成するにあたり、型抜き、切り抜き等の作業性が著しく悪い場合は、この薄板を積層することによって作業性を向上させることができ、また、前記面金模様の表裏の色調を変えることも容易となる利点がある。従って、顔面に装着した時に外部側となる薄板を金属に似せた色調とし、顔面側となる薄板の色調を赤色とした積層体とすることができ、前記薄板の作業性を向上させつつ、従来の剣道用面防具の面金と同様な色調及び構成とすることができる。
【００２５】
また、前記薄板の積層体は、熱収縮率の異なる薄板の積層体とすることもできる。この場合、着用者の顔面側から外側に向け熱収縮率が小さくなる、つまり、外部側となる薄板を熱収縮率の小さい素材の薄板とし、顔面側となる薄板を、外部側の薄板の熱収縮率がより大きい薄板とした積層体とすることである。
【００２６】
このような積層体を型抜きして形成した面金模様の薄板を、透明体の層間に挟み、加熱接着して透明防護体を製造する際には、加熱された面金模様の薄板は冷却によって収縮する。しかし、積層された薄板の熱収縮率は異なっており、外部側の薄板より顔面側の薄板の熱収縮率の方が大きいため、顔面側に湾曲する。その結果、この湾曲現象を外部側から見ると、薄板の該面金模様は、透明体の層間にあって加熱圧着されているので湾曲度は僅かではあるにも拘らず、恰も、丸棒が入っているかのような立体感を持たせることができる。これにより、面金より切り欠いた横金、又は筋金及び横金をより現物に近い状態で再現することが可能となる。
【００２７】
収縮率の異なる薄板の素材としては、前述した素材を適宜組み合わせることが好ましく、積層体の例として、アルミ箔のような金属箔とプラスチック薄板、薄紙とプラスチック薄板、或いは、熱硬化性樹脂板と熱可塑性樹脂板、更に、熱可塑性樹脂板同士であっても熱収縮率の異なる組み合わせ、即ち、ＰＥＴフィルムとポリエチレンフィルム、ポリプロピレンフィルムとＡＢＳ薄板の組み合わせなどが望ましい。
【００２８】
このような熱収縮率の異なる薄板の積層体であっても、組み合わされる薄板を着色して色調を変えること、また、印刷、塗装、若しくは真空蒸着などの手段で色調を任意に変えることもできる。
【００２９】
これら薄板の積層体により形成される前記面金模様板を透明体の層間へ設ける方法は、該面金模様をシルクスクリーン印刷、塗装、或いはアルミ蒸着等の手段にて前記透明防護体に設ける場合とは異なる。まず、最少で２枚の接着フィルムにより該面金模様板を挟み込む。次に、この接着フィルムで挟み込まれている前記面金模様板を透明体の任意の層間に挟み込み、加熱圧着させる。この方法により、例えば、該面金模様板が熱収縮率の異なる薄板の積層体から形成されている場合、前記面金模様板の湾曲を僅か許しつつ、該面金模様を所定の位置に設けることができる。
【発明の効果】
【００３０】
以上のように構成される本発明の剣道用面防具によれば、切り欠いた横金の一部、又は筋金及び横金の一部を面金模様として透明防護体に入れることにより、従来品に対応させた横金、又は筋金及び横金を形成することで従来の面防具と外観上何ら変わらない構成となるので、従来の面防具に化体した剣道等の伝統文化性を継承しつつ、安全性を高め、且つ、着用者の違和感及び不安感を解消することができる。
【発明を実施するための最良の形態】
【００３１】
以下添付図面に基づいて本発明の剣道用面防具を詳細に説明する。
【実施例１】
【００３２】
図１に本発明の実施例１に係る剣道用面防具が示されている。本実施例における剣道用面防具は、略顔面輪郭形状に形成された台座１１、この台座１１の中央上部から下部にかけて架設された筋金１３、及び上記台座１１の左右方向に互いに所定の間隔を置いて架設された複数の横金１２を有し、装着時に顔面前面に位置して顔面を保護する面金１０と、この面金１０に取り付けられ、装着時に頭頂部及び頭側部を覆って保護する面布団１６と、上記面金１０の下部に取り付けられ、装着時に首部を保護する突き当て１７とから構成されている。
【００３３】
面金１０には、着用者の視線が通過する目及びその周辺の顔面部における複数の横金１２の一部を切り欠いて形成された開口部１４が設けられている。そして、この開口部１４を区画する面金１０の台座１１には、左右それぞれ２つ、計４つのスリット１５が設けられている。
【００３４】
面金１０には、その開口部１４を覆うように透明防護体２０が取り付けられている。この透明防護体２０は、図３に示されているような脚部２３を左右それぞれ２本、計４本有し、ベルベットファスナ２４が、脚部２３を包み込むようにして貼着されている。透明防護体２０が開口部１４に取り付けられる際には、脚部２３がスリット１５に挿入される。そして、脚部２３に貼着されているベルベットファスナ２４に対応する面布団１６の内側部分には、図示外のベルベットファスナが縫着されており、脚部２３と面布団１６とにそれぞれ貼着・縫着されたベルベットファスナ２４、が互いに結合し、透明防護体２０が開口部１４へ着脱可能に取り付けられる構成となっている。
【００３５】
本実施例において透明防護体２０は、図４(図２のＡ−Ａ断面図)に示されているように、厚さ１ｍｍのポリカーボネート樹脂透明板２１を外側に、厚さ２ｍｍの同樹脂透明板２２を顔面側に配した２層構造を有している。これら２枚の樹脂透明板２１、２２は、Ｅ．Ｖ．Ａ樹脂系の透明な接着フィルム２５を挟んで加熱圧着されている。これにより、大きな衝撃が透明防護体２０の１箇所に集中した際、厚さの薄い樹脂透明板２１が先に破壊され、透明防護体２０が一気に破壊されるのを防ぐと共に、顔面側の樹脂透明板２２により顔面を保護することができる。
【００３６】
更に、透明防護体２０には、切り欠いた横金の数及び箇所に応じ横金模様３０が設けられている(図２)。図４(図２におけるＡ−Ａ断面図)に示されているように、横金模様３０は、樹脂透明板２１の接着フィルム２５側、即ち顔面側に銀色の塗料で銀色シルク印刷３１が施されている。また、銀色シルク印刷３１の上には、装着時に着用者から横金模様３０が赤く見えるように赤色シルク印刷３２が重ねられ、横金模様３０は２層構造を有している。そして、この横金模様３０は、樹脂透明板２１と樹脂透明板２２との間に挟まれているため、直接竹刀等に触れることがなく、傷付いたり剥がれたりすることがない。また、この構成により、着用者には恰も従来の面防具を着用しているような使用感を与え、違和感や不安感を取り除くことができるものとなっている。
【００３７】
尚、本実施例は、横金１２を切り欠いて開口部１４を形成しているため、横金模様３０だけが透明防護体２０に施されているが、筋金１３及び横金１２を模す面金模様を透明体防護体２０に施すことでもよい。更に、筋金１３及び横金１２を切り欠いて開口部１４を形成したものについても筋金１３及び横金１２を模す面金模様を透明防護体２０に施すことにより適用することが可能である。この場合、筋金１３と横金１２の色を変えること、そして、横金１２の色を場所によって変えることもできる。また、印刷する横金模様３０の本数は、切り欠いた横金１２の本数に応じ設定すればよい。
【実施例２】
【００３８】
実施例２における面防具は、上記実施例１とは異なり、図５に示されているように、面金１０の筋金１３及び横金１２を切り欠いて開口部１４が形成されており、また、透明防護体２０が、厚さ１ｍｍと２ｍｍの２枚のポリカーボネート樹脂透明板２１、２２を２枚の接着フィルム２５を用いて加熱圧着することにより形成されており、更に、上記２枚の接着フィルム２５、２５の間には、２枚の薄板を貼り合わせて形成した面金模様板４０が挟み込まれている。
【００３９】
上記面金模様板４０は、図６及び図８に示されているように、０．０１ｍｍ厚のアルミ箔４１を外側層に、０．１ｍｍ厚のポリエチレンテレフタレート(ＰＥＴ)樹脂薄板４２を内側層に配した積層体となっており、切り欠いた筋金１３を模す筋金模様４０ｂと、切り欠いた横金１２を模す横金模様４０ａとから構成されている。
【００４０】
そして、面金模様板４０は、外側層の金属薄板と、内側層の赤色樹脂薄板とから成る積層体に形成することにより、従来の面防具における筋金と横金を模すことができ、且つ、この金属薄板と樹脂薄板の組み合わせにより、着用者の顔面側から外側に向けて順次熱収縮率が小さくなるような構成となっている。従って、加熱圧着後の冷却過程におけるアルミ箔４１の収縮率と、ＰＥＴ樹脂薄板４２の収縮率とでは、後者の方が大きい。そのため、面金模様板４０は、顔面側へ湾曲しようとする力が生じるが、２枚の接着フィルム２５、２５に挟まれた上、２枚の樹脂透明板２１、２２の層間に挿入されているので、その湾曲する度合いは制限されるのは、図９(図７におけるＣ−Ｃ断面図)に示されている通りである。このように、面金模様板４０が僅かではあっても湾曲する結果、外見的には恰も開口部１４に筋金及び横金が存在しているかのように見せることが可能である。
【００４１】
尚、１枚のＡＢＳ樹脂製薄板により面金模様板４０を形成する場合、切り欠いた筋金１３及び横金１２を模す厚さ０．５ｍｍの銀色に着色したＡＢＳ製樹脂薄板の裏面に赤色の塗装を施すとよい。また、２枚のＡＢＳ樹脂製薄板を貼り合わせて面金模様板４０を形成する場合は、銀色のＡＢＳ樹脂製薄板と赤色のＡＢＳ樹脂製薄板との２層構造の積層体としてもよい(図示せず)。この場合、ＡＢＳ樹脂製薄板の組み合わせ以外に、他の樹脂板同士、異質の樹脂板同士、紙とプラスティック、金属箔とプラスチック、紙と金属箔等の積層体でもよく、その組み合わせは、適宜決定することができる。
【００４２】
更に、他の実施例として(図示せず)、実施例１で説明した横金１２の一部を切り欠いて形成された面金１０の開口部１４に、実施例２で説明した面金模様板４０を備えた透明防護体２０を装着した剣道用面防具も好ましく適用できる。この場合、筋金１３と、この筋金１３を模した筋金模様４０ｂとを、直線状に揃えることで、透明防護体２０の装着時の位置合わせが容易となる。
【図面の簡単な説明】
【００４３】
【図１】本発明の面金模様入り透明防護体付き面防具の第１実施例を示す図である。
【図２】第１実施例にて適用される透明防護体の正面図である。
【図３】第１実施例にて適用される透明防護体の側面図である。
【図４】図２におけるＡ−Ａ断面図である。
【図５】本発明の面金模様入り透明防護体付き面防具の第２実施例を示す図である。
【図６】第２実施例にて適用される面金模様板を示す図である。
【図７】第２実施例にて適用される透明防護体の側面図である。
【図８】第２実施例にて適用されるアルミ箔とＰＥＴ樹脂薄板との積層体から成る面金模様板の図６におけるＢ−Ｂ断面図である。
【図９】第２実施例において、アルミ箔とＰＥＴ樹脂薄板との積層体から成る面金模様板を適用している透明防護体の図７におけるＣ−Ｃ断面図である。
【図１０】従来の剣道用面防具を示す図である。
【図１１】先行技術文献に関わる剣道用面防具を示す図である。
【符号の説明】
【００４４】
１０：面金、１１：台座、１２：横金、１３：筋金、１４：開口部、１５：スリット、１６：面布団、１７：突き当て、２０：透明防護体
【図１】
2005080961.tif 000003
【図２】
2005080961.tif 000004
【図３】
2005080961.tif 000005
【図４】
2005080961.tif 000006
【図５】
2005080961.tif 000007
【図６】
2005080961.tif 000008
【図７】
2005080961.tif 000009
【図８】
2005080961.tif 000010
【図９】
2005080961.tif 000011
【図１０】
2005080961.tif 000012
【図１１】
2005080961.tif 000013